(57)【要約】【課題】外出先から携帯電話端末機を通じて屋内に設置したセンサ付カメラの台数や作動しているセンサ付カメラなどを把握し、屋内の画像を確認、監視する。【解決手段】モニタ付親機２００に、屋内に設置されたセンサ付カメラ４００ａ、４００ｂのカメラ台数をカメラ設置台数設定スイッチ２０１により設定するセンサ付カメラ設置台数設定回路２０２、各センサをＯＮ／ＯＦＦ設定スイッチ２０３によりＯＮ／ＯＦＦ制御するセンサ制御ＯＮ／ＯＦＦ設定回路２０４と、回路の制御を行なうＣＰＵ２０６と、設定されたカメラ台数、ＯＮ／ＯＦＦ設定のデータを送信するためのＬＡＮドライバ２２０とを設け、ＬＡＮドライバをインターネット網ＩＮに接続するモデム５００と、インターネット網を介してカメラの台数を記憶するための屋内カメラデータベース８０１及びカメラ付玄関子機６００、センサ付カメラで撮像された画像を蓄積する画像データベース８０２をもつサーバー８００と、サーバーにアクセスしてカメラの台数を自動的に判別し表示し、画像を閲覧指示する携帯電話端末機９００とを備える。【選択図】図２
2004120677.tif 000002
【特許請求の範囲】
【請求項１】
来訪者がカメラ付玄関子機（６００）で呼び出しを行なうと、住居（１００）内に設置されたモニタ付親機（２００）が無線送受信部（３００）を通じて予め登録してある電話番号に電話網（ＴＮ）を介して呼び出しを行い、携帯電話端末機（９００）に呼び出しがあったことを通知し、前記携帯電話端末機にて応答すると、前記カメラ付玄関子機と前記携帯電話端末機と通話でき、前記カメラ付玄関子機で撮影された画像情報が前記モニタ付親機で録画保存されるテレビドアホン装置であって、
前記モニタ付親機に、屋内に設置されたセンサ付カメラ（４００ａ、４００ｂ）のカメラ台数をカメラ設置台数設定スイッチ（２０１）により設定するセンサ付カメラ設置台数設定回路（２０２）、各センサをＯＮ／ＯＦＦ設定スイッチ（２０３）によりＯＮ／ＯＦＦ制御するセンサ制御ＯＮ／ＯＦＦ設定回路（２０４）と、前記回路の制御を行なうＣＰＵ（２０６）と、設定されたカメラ台数、ＯＮ／ＯＦＦ設定のデータを送信するためのＬＡＮドライバ（２２０）とを設け、
前記ＬＡＮドライバをインターネット網（ＩＮ）に接続するモデム（５００）と、前記インターネット網を介して前記カメラの台数を記憶するための屋内カメラデータベース（８０１）及び前記カメラ付玄関子機、前記センサ付カメラで撮像された画像を蓄積する画像データベース（８０２）をもつサーバー（８００）と、前記サーバーにアクセスして前記カメラの台数を自動的に判別し表示し、前記画像を閲覧指示する携帯電話端末機（９００）とを備えていることを特徴とするテレビドアホン装置。
【請求項２】
来訪者がカメラ付玄関子機（６００）で呼び出しを行なうと、住居（１００）内に設置されたモニタ付親機（２００）が無線送受信部（３００）を通じて予め登録してある電話番号に電話網（ＴＮ）を介して呼び出しを行い、携帯電話端末機（９００）に呼び出しがあったことを通知し、前記携帯電話端末機にて応答すると、前記カメラ付玄関子機と前記携帯電話端末機と通話でき、前記カメラ付玄関子機で撮影された画像情報が前記モニタ付親機で録画保存されるテレビドアホン装置であって、
前記モニタ付親機に、屋内に設置されたセンサ付カメラ（４００ａ、４００ｂ）のカメラ台数をカメラ設置台数設定スイッチ（２０１）により設定するセンサ付カメラ設置台数設定回路（２０２）、各センサをＯＮ／ＯＦＦ設定スイッチ（２０３）によりＯＮ／ＯＦＦ制御するセンサ制御ＯＮ／ＯＦＦ設定回路（２０４）及び前記センサ付カメラをカメラ識別設定スイッチ（２２４）により識別するカメラ識別設定回路（２２３）と、前記回路の制御を行なうＣＰＵ（２０６）と、設定されたカメラ台数、識別されたカメラ及びＯＮ／ＯＦＦ設定のデータを送信するためのＬＡＮドライバ（２２０）とを設け、
前記ＬＡＮドライバをインターネット網（ＩＮ）に接続するモデム（５００）と、前記インターネット網を介して前記カメラの台数及び前記識別されたカメラを記憶するための屋内カメラデータベース（８０１）並びに前記カメラ付玄関子機、前記センサ付カメラで撮像された画像を蓄積する画像データベース（８０２）をもつサーバー（８００）と、前記サーバーにアクセスして前記カメラの台数及び前記識別されたカメラを自動的に判別し表示し、前記画像を閲覧指示する携帯電話端末機（９００）とを備えていることを特徴とするテレビドアホン装置。
【請求項３】
前記センサ付カメラ設置台数設定回路における設定、前記センサ制御ＯＮ／ＯＦＦ設定回路における設定及び／又は前記カメラ識別設定回路における設定は、前記携帯電話端末機若しくは前記サーバーからの指示により、変更可能に構成されていることを特徴とする請求項１又は請求項２記載のテレビドアホン装置。
【請求項４】
前記センサ付カメラ内にスピーカ（４０８）とマイク（４０９）を設け、
前記モニタ付親機は、音声を前記センサ付カメラと前記携帯電話端末機との間で送受信する音声回路（２１６）と、前記音声回路を介して前記センサ付カメラと前記携帯電話端末機との間で送受信するＲＦ回路（２１９）とを備えていることを特徴とする請求項１又は請求項２記載のテレビドアホン装置。
【請求項５】
前記モニタ付親機は、前記センサ付カメラからの画像を送信タイマ設定スイッチ（２２２）により定期的な時間間隔若しくは任意時刻で前記サーバー内の前記画像データベースに送信する送信タイマ設定回路（２２１）を備えていることを特徴とする請求項１又は請求項２記載のテレビドアホン装置。
【請求項６】
前記送信タイマ設定回路における設定は、前記携帯電話端末機若しくは前記サーバーからの指示により、変更可能に構成されていることを特徴とする請求項５記載のテレビドアホン装置。
【請求項７】
前記モニタ付親機は、前記センサ付カメラで侵入者をキャッチし、前記携帯電話端末機に急報する音声メッセージＲＯＭ（２１５）を備えていることを特徴とする請求項１又は請求項２記載のテレビドアホン装置。
【請求項８】
前記住居の窓、ドア等に設置された防犯センサ（７００）からの各種セキュリティ信号を前記携帯電話端末機に転送し、前記携帯電話端末機側から屋内に設置された前記センサ付カメラからの画像を閲覧することを特徴とする請求項１又は請求項２記載のテレビドアホン装置。
【請求項９】
前記モニタ付親機は、前記センサ付カメラからの画像の信号処理により異常を検出する異常検出回路（２０５）を備えていることを特徴とする請求項１又は請求項２記載のテレビドアホン装置。
【発明の詳細な説明】
【０００１】
【発明の属する技術分野】
本発明は、テレビドアホン装置に係わり、特に、外出先から携帯電話端末機を通じて屋内に設置したセンサ付カメラの台数や作動しているセンサ付カメラなどを把握し、屋内の画像を確認、監視することができるテレビドアホン装置に関する。
【０００２】
【従来の技術】
従来から、この種のテレビドアホン装置として、来訪者がカメラ付玄関子機で呼び出しを行なうと、住居内に設置されたモニタ付親機が無線送受信部を通じて予め登録してある電話番号に電話網を介して呼び出しを行い、携帯電話端末機に呼び出しがあったことを通知し、携帯電話端末機にて応答すると、カメラ付玄関子機と携帯電話端末機と通話でき、カメラ付玄関子機で撮影された画像情報がモニタ付親機で録画保存されるような構成のものが知られている（例えば、特許文献１参照）。
【０００３】
【特許文献１】特開２０００−２２４３１９号公報（段落番号「０００４」〜「００２５」、図１）
【０００４】
【発明が解決しようとする課題】
このテレビドアホン装置によれば、携帯電話端末機からサーバーにアクセスすることによって、当該サーバーに蓄積・保存された画像を携帯電話端末機で閲覧することができ、また、来訪者の画像を確認することができる。
【０００５】
しかしながら、このような構成のテレビドアホン装置においては、外出先から携帯電話端末機を通じて屋内の画像、例えば、台所のガス栓、ペット若しくは介護老人などの様子を見ることができず、また、携帯電話端末機を通じて住居内への侵入者に対して威嚇することができない上、屋内の様子を聴取することができないという難点があった。さらに、緊急時の通報がメールであることから即時性に欠けるという難点もあった。
【０００６】
本発明は、このような難点を解決するためになされたもので、外出先から、携帯電話端末機を通じて屋内の画像を確認・監視することができ、また、携帯電話端末機を通じて住居内への侵入者に対して威嚇することができる上、屋内の様子を聴取することができ、さらに、携帯電話端末機に対して緊急度の高い情報を即時に通報することができるテレビドアホン装置を提供することを目的としている。
【０００７】
【課題を解決するための手段】
上記の目的達成するために、本発明のテレビドアホン装置は、来訪者がカメラ付玄関子機で呼び出しを行なうと、住居内に設置されたモニタ付親機が無線端末機を通じて予め登録してある電話番号に電話網を介して呼び出しを行い、携帯電話端末機に呼び出しがあったことを通知し、携帯電話端末機にて応答すると、カメラ付玄関子機と携帯電話端末機と通話でき、カメラ付玄関子機で撮影された画像情報がモニタ付親機で録画保存されるテレビドアホン装置であって、モニタ付親機に、屋内に設置されたセンサ付カメラのカメラ台数をカメラ設置台数設定スイッチにより設定するセンサ付カメラ設置台数設定回路、各センサをＯＮ／ＯＦＦ設定スイッチによりＯＮ／ＯＦＦ制御するセンサ制御ＯＮ／ＯＦＦ設定回路と、回路の制御を行なうＣＰＵと、設定されたカメラ台数、ＯＮ／ＯＦＦ設定のデータを送信するためのＬＡＮドライバとを設け、ＬＡＮドライバをインターネット網に接続するモデムと、インターネット網を介してカメラの台数を記憶するための屋内カメラデータベース及びカメラ付玄関子機、センサ付カメラで撮像された画像を蓄積する画像データベースをもつサーバーと、サーバーにアクセスしてカメラの台数を自動的に判別し表示し、画像を閲覧指示する携帯電話端末機とを備えている。
【０００８】
また、本発明のテレビドアホン装置は、来訪者がカメラ付玄関子機で呼び出しを行なうと、住居内に設置されたモニタ付親機が無線送受信部を通じて予め登録してある電話番号に電話網を介して呼び出しを行い、携帯電話端末機に呼び出しがあったことを通知し、携帯電話端末機にて応答すると、カメラ付玄関子機と携帯電話端末機と通話でき、カメラ付玄関子機で撮影された画像情報がモニタ付親機で録画保存されるテレビドアホン装置であって、モニタ付親機に、屋内に設置されたセンサ付カメラのカメラ台数をカメラ設置台数設定スイッチにより設定するセンサ付カメラ設置台数設定回路、各センサをＯＮ／ＯＦＦ設定スイッチによりＯＮ／ＯＦＦ制御するセンサ制御ＯＮ／ＯＦＦ設定回路及びセンサ付カメラをカメラ識別設定スイッチにより識別するカメラ識別設定回路と、回路の制御を行なうＣＰＵと、設定されたカメラ台数、識別されたカメラ及びＯＮ／ＯＦＦ設定のデータを送信するためのＬＡＮドライバとを設け、ＬＡＮドライバをインターネット網に接続するモデムと、インターネット網を介してカメラの台数及び識別されたカメラを記憶するための屋内カメラデータベース並びにカメラ付玄関子機、センサ付カメラで撮像された画像を蓄積する画像データベースをもつサーバーと、サーバーにアクセスしてカメラの台数及び識別されたカメラを自動的に判別し表示し、画像を閲覧指示する携帯電話端末機とを備えている。
【０００９】
また、本発明のテレビドアホン装置のセンサ付カメラ設置台数設定回路における設定、センサ制御ＯＮ／ＯＦＦ設定回路における設定及び／又はカメラ識別設定回路における設定は、携帯電話端末機若しくはサーバーからの指示により、変更可能に構成されている。
【００１０】
また、本発明のテレビドアホン装置におけるセンサ付カメラ内にスピーカとマイクを設け、モニタ付親機は、音声をセンサ付カメラと携帯電話端末機との間で送受信する音声回路と、音声回路を介してセンサ付カメラと携帯電話端末機との間で送受信するＲＦ回路とを備えている。
【００１１】
また、本発明のテレビドアホン装置におけるモニタ付親機は、センサ付カメラからの画像を送信タイマ設定スイッチにより定期的な時間間隔若しくは任意時刻でサーバー内の画像データベースに送信する送信タイマ設定回路を備えている。
【００１２】
また、本発明のテレビドアホン装置の送信タイマ設定回路における設定は、携帯電話端末機若しくはサーバーからの指示により、変更可能に構成されている。
【００１３】
また、本発明のテレビドアホン装置におけるモニタ付親機は、センサ付カメラで侵入者をキャッチし、携帯電話端末機に急報する音声メッセージＲＯＭを備えている。
【００１４】
また、本発明のテレビドアホン装置は、住居の窓、ドア等に設置された防犯センサからの各種セキュリティ信号を携帯電話端末機に転送し、携帯電話端末機側から屋内に設置されたセンサ付カメラからの画像を閲覧できるように構成されている。
【００１５】
また、本発明のテレビドアホン装置におけるモニタ付親機は、センサ付カメラからの画像の信号処理により異常を検出する異常検出回路を備えている。
【００１６】
本発明のテレビドアホン装置によれば、屋内にセンサ付カメラが設置されていることから、外出先から、携帯電話端末機を通じて屋内の画像を確認・監視することができ、また、上記センサ付カメラにスピーカを搭載した場合は、携帯電話端末機を通じて住居内への侵入者に対して威嚇することができる。さらに、センサ付カメラにマイクを搭載した場合は、屋内の様子を聴取することができ、また、モニタ付親機に音声メッセージＲＯＭを搭載した場合は、緊急度の高いセキュリティ情報を音声で通知することができる。
【００１７】
【発明の実態の形態】
以下、本発明のテレビドアホン装置の好ましい実施の形態例について、図面を参照して詳述する。ここで、図１は、本発明のテレビドアホン装置のシステム構成図、図２は、本発明のテレビドアホン装置におけるモニタ付親機、センサ付カメラ及びサーバーのブロック図、図３は、本発明のテレビドアホン装置における携帯電話端末機の表示画面を示している。
【００１８】
本発明のテレビドアホン装置は、住居１００内に設置され、無線送受信部３００を内蔵したモニタ付親機２００、第１、第２のセンサ付カメラ４００ａ、４００ｂ及びモデム５００と、住居１００の玄関付近に設置されるカメラ付玄関子機６００と、住居１００の窓、ドア等に設置される防犯センサ７００と、サーバー８００及び携帯電話端末機９００とを備えている。ここで、モニタ付親機２００は、第１の伝送路Ｌ１を介してカメラ付玄関子機６００に、第２の伝送路Ｌ２を介して第１、第２のセンサ付カメラ４００ａ、４００ｂに、ＬＡＮ配線Ｌ３を介してモデム５００に、第４の伝送路Ｌ４を介して防犯センサ７００にそれぞれ接続されている。また、無線送受信部３００は、電話網ＴＮを介して携帯電話端末機９００に接続され、モデム５００は、インターネット網ＩＮを介してサーバー８００及び携帯電話端末機９００に接続されている。
【００１９】
モニタ付親機２００は、図２に示すように、カメラ設置台数設定スイッチ２０１、センサ付カメラ設置台数設定回路２０２、ＯＮ／ＯＦＦ設定スイッチ２０３、センサ制御ＯＮ／ＯＦＦ設定回路２０４、異常検出回路２０５を有するＣＰＵ２０６（以下「親機ＣＰＵ２０６」という。）、切換回路２０７、インターフエース２０８（以下「親機Ｉ／Ｆ２０８」という。）、センサ検出回路２０９、呼出検出回路２１０、液晶モニタ２１１、画像録画回路２１２、映像出力回路２１３、メモリ２１４、音声メッセージＲＯＭ２１５、音声回路２１６（以下「親機音声回路２１６」という。）、無線送受信部制御回路２１７、アンテナ２１８を有するＲＦ回路２１９から成る無線送受信部３００、ＬＡＮドライバ２２０、送信タイマ設定回路２２１、送信タイマ設定スイッチ２２２、カメラ識別設定回路２２３及びカメラ識別設定スイッチ２２４の各部（回路）を備えている。ここで、親機ＣＰＵ２０６は、センサ付カメラ設置台数設定回路２０２、センサ制御ＯＮ／ＯＦＦ設定回路２０４、切換回路２０７、センサ検出回路２０９、呼出検出回路２１０、画像録画回路２１２、メモリ２１４、音声メッセージＲＯＭ２１５、無線送受信部制御回路２１７、ＬＡＮドライバ２２０、送信タイマ設定回路２２１及びカメラ識別設定回路２２３に接続され、センサ付カメラ設置台数設定回路２０２にはカメラ設置台数設定スイッチ２０１が、センサ制御ＯＮ／ＯＦＦ設定回路２０４にはＯＮ／ＯＦＦ設定スイッチ２０３が、切換回路２０７には第１、第２の伝送路Ｌ１、Ｌ２及び親機Ｉ／Ｆ２０８が、無線送受信部制御回路２１７にはＲＦ回路２１９が、送信タイマ設定回路２２１には送信タイマ設定スイッチ２２２が、カメラ識別設定回路２２３にはカメラ識別設定スイッチ２２４がそれぞれ接続されている。また、親機Ｉ／Ｆ２０８はセンサ検出回路２０９、呼出検出回路２１０、画像録画回路２１２及び親機音声回路２１６に接続され、画像録画回路２１２にはメモリ２１４、映像出力回路２１３を介して液晶モニタ２１１が、親機音声回路２１６には音声メッセージＲＯＭ２１５がそれぞれ接続されている。さらに、ＬＡＮドライバ２２０はＬＡＮ配線Ｌ３を介してモデム５００に、異常検出回路２０５は第４の伝送路Ｌ４を介して防犯センサ７００にそれぞれ接続されている。
【００２０】
第１、第２のセンサ付カメラ４００は、それぞれ同様の構成とされ、インターフエース４０１（以下「カメラＩ／Ｆ４０１」という。）、ＣＰＵ４０３（以下「カメラＣＰＵ４０３」という。）、カメラ４０４、映像増幅回路４０５、音声回路４０６（以下「カメラ音声回路４０６」という。）、センサ４０７、スピーカ４０８及びマイク４０９の各部（回路）を備えている。ここで、カメラＣＰＵ４０３は、カメラＩ／Ｆ４０１、カメラ４０４、映像増幅回路４０５、カメラ音声回路４０６及びセンサ４０７に接続され、映像増幅回路４０５にはカメラＩ／Ｆ４０１及びカメラ４０４が接続されている。また、カメラ音声回路４０６は、スピーカ４０８、マイク４０９及びカメラＩ／Ｆ４０１に接続され、カメラＩ／Ｆ４０１には第２の伝送路Ｌ２が接続されている。
【００２１】
サーバー８００は、インターネット網ＩＮを介してカメラの台数を記憶するための屋内カメラデータベース８０１と、カメラ付玄関子機６００、第１、第２のセンサ付カメラ４００ａ、４００ｂで撮像された画像を蓄積する画像データベース８０２とを備えている。
【００２２】
次に、このように構成された本発明のテレビドアホン装置の動作について説明する。なお、来訪者がカメラ付玄関子機６００で呼び出しを行なうと、住居１００内に設置されたモニタ付親機２００が無線送受信部３００を通じて予め登録してある電話番号に電話網ＴＮを介して呼び出しを行い、携帯電話端末機９００に呼び出しがあったことを通知し、携帯電話端末機９００にて応答すると、カメラ付玄関子機６００と携帯電話端末機９００と通話でき、カメラ付玄関子機６００で撮影された画像情報がモニタ付親機２００で録画保存される点は、従来のテレビドアホン装置と同様であることから詳細な説明を省略し、ここでは、主に、▲１▼センサ付カメラで撮像された画像を携帯電話端末機で閲覧する点、▲２▼モニタ付親機の音声回路を介してセンサ付カメラと携帯電話端末機との間で送受信する点、▲３▼サーバー内に蓄積保存された画像を携帯電話端末機で閲覧する点、▲４▼センサ付カメラで侵入者をキャッチし携帯電話端末機に急報する点、及び▲５▼防犯センサからの各種セキュリティ信号を携帯電話端末機に転送し当該携帯電話端末機側から屋内に設置されたセンサ付カメラからの画像を閲覧する点について説明する。
【００２３】
最初に、各種データのサーバー８００への蓄積、保存について説明する。
【００２４】
先ず、住居１００内の居住者が外出する際に、ディップスイッチなどから成るカメラ設置台数設定スイッチ２０１の操作により、屋内に設置された第１、第２のセンサ付カメラ４００ａ、４００ｂのカメラ４０４の台数を例えば「２」に設定すると、センサ付カメラ設置台数設定回路２０２から台数設定信号が親機ＣＰＵ２０６へ送出され、親機ＣＰＵ２０６から設定されたカメラ台数のデータＤ１（以下「第１の設定データＤ１」という。）が出力され、また、ディップスイッチなどから成るＯＮ／ＯＦＦ設定スイッチ２０３の操作により、第１、第２のセンサ付カメラ４００ａ、４００ｂの人体感知センサなどから成る各センサ４０７を例えばＯＮに制御すると、センサ制御ＯＮ／ＯＦＦ設定回路２０４から各センサがＯＮに制御された旨の設定信号が親機ＣＰＵ２０６へ送出され、親機ＣＰＵ２０６から各センサをＯＮに設定した旨のデータＤ２（以下「第２の設定データＤ２」という。）が出力される。さらに、ディップスイッチなどから成るカメラ識別設定スイッチ２２４の操作により、第１、第２のセンサ付カメラ４００ａ、４００ｂの各カメラ４０４が識別されると、カメラ識別設定回路２２３から各カメラが識別された旨の設定信号が親機ＣＰＵ２０６へ送出され、親機ＣＰＵ２０６から各カメラを識別設定したデータＤ３（以下「第３の設定データＤ３」という。）が出力される。なお、住居１００内に居住者が居る場合、各センサ４０７は通常ＯＦＦに設定される。
【００２５】
これらの第１、第２、第３の設定データＤ１、Ｄ２、Ｄ３は、ＬＡＮドライバ２２０及びＬＡＮ配線Ｌ３を介してモデム５００へ送出され、当該モデム５００からインターネット網ＩＮを介してサーバー８００内の屋内カメラデータベース８０１へ送出される。これにより、屋内カメラデータベース８０１に設定されたカメラの台数のデータや識別されたカメラのデータ及びＯＮに設定されたセンサのデータが蓄積、保存される。ここで、この実施例においては、モニタ付親機２００側でカメラ設置台数設定スイッチ２０１の操作によりセンサ付カメラ設置台数設定回路２０２を、ＯＮ／ＯＦＦ設定スイッチ２０３の操作によりセンサ制御ＯＮ／ＯＦＦ設定回路２０４を、カメラ識別設定スイッチ２２４の操作によりカメラ識別設定回路２２３をそれぞれ設定しているが、かかる設定をサーバー８００若しくは携帯電話端末機９００の指示により変更することもできる。
【００２６】
次に、外出先から携帯電話端末機９００を通じて屋内の画像を確認、監視する場合について説明する。
【００２７】
先ず、携帯電話端末機９００の所持者が携帯電話端末機９００の操作ボタン（不図示）を操作し携帯電話端末機９００の表示部（不図示）に図３（ａ）に示すような屋内カメラ設定画面を表示させて、「カメラ台数の設定取得」の表示部９０１を選択すると、携帯電話端末機９００からカメラ台数設定取得信号Ｓ１が出力され、このカメラ台数設定取得信号Ｓ１がインターネット網ＩＮを介してサーバー８００へ送出される。これにより、屋内カメラデータベース８０１が参照され、当該屋内カメラデータベース８０１から第１、第３の設定データＤ１、Ｄ３が取り出され、これらの第１、第３の設定データＤ１、Ｄ３がカメラ台数設定取得信号Ｓ１と逆の経路を経由して携帯電話端末機９００に送出される。
【００２８】
次いで、携帯電話端末機９００の操作ボタンを操作すると、携帯電話端末機９００の表示部に、図３（ｂ）に示すような屋内カメラ画像取得画面が現れる。ここで、第１のセンサ付カメラ４００ａのカメラ４０４（以下「第１のカメラ４０４」という。）が「カメラ１」と識別設定され、第２のセンサ付カメラ４００ｂのカメラ４０４（以下「第２のカメラ４０４」という。）が「カメラ２」と識別設定されている場合は、携帯電話端末機９００の表示部の上部に「カメラ１」の第１の表示部９０２ａが、下部に「カメラ２」の第２の表示部９０２ｂが現れると共に、第１、第２の表示部９０２ａ、９０２ｂに対応する位置に第１の「チェックボックス」の表示部９０３ａと第２の「チェックボックス」の表示部９０３ｂがそれぞれ現れる。
【００２９】
ここで、第１の「チェックボックス」９０３ａにチェックを入れ、「画像取得」の表示部９０４を選択すると、携帯電話端末機９００から画像取得信号Ｓ２が出力され、この画像取得信号Ｓ２がインターネット網ＩＮ、モデム５００、ＬＡＮ配線Ｌ３及びＬＡＮドライバ２２０を介して親機ＣＰＵ２０６へ送出される。かかる画像取得信号Ｓ２が親機ＣＰＵ２０６で検出されると、親機ＣＰＵ２０６の制御により、切換回路２０７が「カメラ１にて画像取得する」側に切替えられると共に親機ＣＰＵ２０６からカメラ１の画像取得信号が出力され、このカメラ１の画像取得信号が切換回路２０７、第２の伝送路Ｌ２及び第１のセンサ付カメラ４００ａに係るカメラＩ／Ｆ４０１（以下「第１のカメラＩ／Ｆ４０１」という。）を介して第１のセンサ付カメラ４００ａに係るカメラＣＰＵ４０３（以下「第１のカメラＣＰＵ４０３」という。）へ送出される。そして、カメラ１の画像取得信号が第１のカメラＣＰＵ４０３で検出されると、第１のカメラ４０４が能動状態に制御される。また、これと共に第１のカメラ４０４で撮像された屋内の映像信号（以下「第１の映像信号」という。）が映像増幅回路４０５において増幅され、増幅された第１の映像信号が、第１のカメラＩ／Ｆ４０１、第２の伝送路Ｌ２、切換回路２０７及び親機Ｉ／Ｆ２０８を介して画像録画回路２１２へ送出され、当該画像録画回路２１２に第１の映像信号が録画されると共にメモリ２１４に記憶される。
【００３０】
このようにしてメモリ２１４に記憶された第１の映像信号は、親機ＣＰＵ２０６の制御により、ＬＡＮドライバ２２０、モデム５００、ＬＡＮ配線Ｌ３及びインターネット網ＩＮを介してサーバー８００内の画像データベース８０２に一旦蓄積される。
【００３１】
ここで、携帯電話端末機９００の操作ボタンを操作し携帯電話端末機９００の表示部に図３（ｃ）に示すような画像閲覧画面を表示させて、閲覧したい画像、例えば、第１の表示部９０５ａを選択すると、携帯電話端末機９００から画像閲覧取得信号Ｓ３がインターネット網ＩＮを介してサーバー８００へ送出される。これにより、画像データベース８０２が参照され、当該画像データベース８０２から第１の映像信号が取り出され、画像閲覧取得信号Ｓ３と逆の経路を経由して携帯電話端末機９００に送出される。これにより、携帯電話端末機９００の表示部に、例えば、図３（ｄ）に示すように、第１のカメラ４０４で撮像された画像９０６が表示される。
【００３２】
以上のように、本発明のテレビドアホン装置によれば、サーバー８００内の屋内カメラデータベース８０１にカメラの台数のデータ及び識別されたカメラのデータが記憶され、また画像データベース８０２にカメラ付玄関子機やセンサ付カメラで撮像された画像データが蓄積、保存されていることから、携帯電話端末機９００からサーバー８００にアクセスすることにより、カメラの台数及び識別されたカメラを自動的に判別することができ、また、カメラで撮像された画像を閲覧することができる
次に、本発明のテレビドアホン装置の付加機能について説明する。
【００３３】
第１に、モニタ付親機２００に音声メッセージＲＯＭ２１５を搭載した場合は、第１、第２のセンサ付カメラ４００ａ、４００ｂで侵入者をキャッチし、瞬時に不審者の侵入を携帯電話端末機９００に急報することができる。すなわち、例えば第１のセンサ付カメラ４００ａの設置個所から不審者が侵入すると、第１のセンサ付カメラ４００ａに係るセンサ４０７（以下「第１のセンサ４０７」という。）からセンサ信号（以下「第１のセンサ信号」という。）が出力され、この第１のセンサ信号が、第１のカメラＩ／Ｆ４０１、第２の伝送路Ｌ２、切換回路２０７及び親機Ｉ／Ｆ２０８を介してセンサ検出回路２０９へ送出される。そして、かかる第１のセンサ信号が親機ＣＰＵ２０６で検出されると、無線送受信部制御回路２１７から呼出信号（以下「第１の呼出信号」という。）がＲＦ回路２１９へ送出されＲＦ回路２１９において信号処理されてアンテナ２１８から電波として空間に放射される。かかる電波は電話網ＴＮで受信され、当該電話網ＴＮを介して予め登録されている携帯電話端末機９００に送出される。このようにして、当該携帯電話端末機９００に第１の呼出信号が送出されると、当該携帯電話端末機９００から回線接続信号が出力され、当該回線接続信号が前述の第１の呼出信号と逆の経路を経由して無線送受信部制御回路２１７へ送出される。そして、かかる回線接続信号が親機ＣＰＵ２０６で検出されると、音声メッセージＲＯＭ２１５から音声メッセージが取り出され、当該音声メッセージが前述の第１の呼出信号と同様の経路を経由して携帯電話端末機９００へ送出される。これにより、携帯電話端末機９００のスピーカ（不図示）から、例えば、「侵入者をキャッチしました」という音声が放音され、瞬時に不審者の侵入がキャッチされる。
【００３４】
第２に、例えば、第１のセンサ付カメラ４００ａにマイク４０９（以下「第１のマイク４０９」という。）が搭載されている場合は、携帯電話端末機９００を通じて第１のセンサ付カメラ４００ａが設置されている屋内の様子を聴取することができ、また、第１のセンサ付カメラ４００ａにスピーカ４０８（以下「第１のスピーカ４０８」という。）が搭載されている場合は、携帯電話端末機９００を通じて不審者に対して威嚇することができる。すなわち、外出先において、携帯電話端末機９００の所持者が上記の不審者の侵入をキャッチした後に、携帯電話端末機９００のマイク（不図示）を通じて威嚇する旨の音声を入力すると、当該音声が電話網ＴＮ、アンテナ２１８、ＲＦ回路２１９、親機音声回路２１６、親機Ｉ／Ｆ２０８、切換回路２０７、第２の伝送路Ｌ２、第１のカメラＩ／Ｆ４０１及び第１のセンサ付カメラ４００ａに係るカメラ音声回路４０６（以下「第１のカメラ音声回路４０６」という。）を介して第１のスピーカ４０８へ送出される。これにより、第１のスピーカ４０８から威嚇する旨の音声が放音され、不審者に対して威嚇される。また、携帯電話端末機９００の所持者が、携帯電話端末機９００の操作ボタンを操作すると、聴取取得信号Ｓ４が出力され、この聴取取得信号Ｓ４が前述の画像取得信号Ｓ２と同様の経路を経由して第１のセンサ付カメラ４００ａへ送出される。そして、かかる、聴取取得信号Ｓ４が第１のカメラＣＰＵ４０３で検出されると、第１のマイク４０９が能動状態に制御されると共に当該第１のマイク４０９によって第１のセンサ付カメラ４００ａが設置されている屋内の音声が聴取される。このようにして聴取された音声は、前述の威嚇する旨の音声と逆の経路を経由して携帯電話端末機９００のスピーカへ送出される。これにより、外出先において、携帯電話端末機９００を通じて屋内の音声を聴取することができる。
【００３５】
第３に、モニタ付親機２００に送信タイマ設定回路２２１及び送信タイマ設定スイッチ２２２が設けられている場合は、設定した時間に応じて、例えば第１のカメラ４０４で撮像した映像をモニタ付親機２００からサーバー８００の画像データベース８０２に蓄積、保存することができる。すなわち、居住者が送信タイマ設定スイッチ２２２の操作により送信時間を例えば１時間に設定すると、親機ＣＰＵ２０６の制御により、１時間毎に切換回路２０７が切替えられると共に親機ＣＰＵ２０６からカメラ駆動信号が出力され、このカメラ駆動信号が前述のカメラ１の画像取得信号と同様の経路を経由して第１のカメラＣＰＵ４０３へ送出される。これにより、第１のカメラ４０４が駆動されると共に第１のカメラ４０４で撮像された映像信号（以下「第２の映像信号）という。）が、前述の第１の映像信号と同様の経路を経由して画像録画回路２１２へ送出され、当該画像録画回路２１２に録画されると共にメモリ２１４に記憶される。
【００３６】
このようにしてメモリ２１４に記憶された第２の映像信号は、１時間毎に、前述の第１の映像信号と同様の経路を経由してサーバー８００内の画像データベース８０２に蓄積される。これにより、外出先において、携帯電話端末機９００を通じて、サーバー８００にアクセスすることにより、１時間毎に更新された第１のカメラ４０４で撮像された屋内の映像を閲覧することができる。ここで、この実施例においては、モニタ付親機２００側で送信タイマ設定スイッチ２２２の操作により送信時間を定期的な時間間隔に設定しているが、かかる設定をサーバー８００若しくは携帯電話端末機９００の指示により任意の時刻に変更することもできる。
【００３７】
第４に、住居の窓、ドア等に防犯センサ７００が設置されている場合は、防犯センサ７００から各種セキュリティ信号が携帯電話端末機９００に転送され、ひいては携帯電話端末機９００側において屋内に設置された第１、第２のセンサ付カメラ４００ａ、４００ｂからの画像を閲覧することができる。すなわち、不審者の侵入などによって防犯センサ７００が作動すると、防犯センサ７００からセキュリティ信号Ｓ５が出力され、このセキュリティ信号Ｓ５が第４の伝送路Ｌ４を介して異常検出回路２０５へ送出される。そして、かかるセキュリティ信号Ｓ５が異常検出回路２０５で検出されると、親機ＣＰＵ２０６から防犯センサ７００の設置個所から不審者が侵入した旨の異常信号が出力され、この異常信号が前述の第１の呼出信号と同様の経路を経由して携帯電話端末機９００へ転送される。
【００３８】
ここで、携帯電話端末機９００の所持者が不審者の侵入をキャッチした後に、携帯電話端末機９００の操作ボタンを操作し携帯電話端末機９００の表示部に図３（ｂ）に示す画面を表示させて例えば第１の表示部９０５ａを選択すると、前述の第１の映像信号と同様に、画像データベース８０２から第１のカメラ４０４から送出される映像信号を取り出すことができ、携帯電話端末機９００の表示部に、例えば図３（ｄ）に示すように第１のカメラ４０４で撮像された画像９０６を表示させることができる。また、前述の実施例と同様に、第１のスピーカ４０８から携帯電話端末機９００を通じて不審者に対して威嚇することができる。
【００３９】
なお、前述の実施例においては、無線送受信部３００を内蔵させたモニタ付親機２００について説明しているが、無線送受信部３００を無線端末機３００としてモニタ付親機２００と別体で構成し、当該無線端末機３００に無線端末機制御回路２１７を接続してもよい。また、センサ付カメラは２台に限定されず、装置の規模により３台以上設置してもよい。
【００４０】
【発明の効果】
以上の説明から明らかなように、本発明のテレビドアホン装置によれば、屋内にセンサ付カメラが設置されていることから、外出先から、携帯電話端末機を通じて屋内の画像を確認・監視することができ、また、上記センサ付カメラにスピーカを搭載した場合は、携帯電話端末機を通じて住居内への侵入者に対して威嚇することができる。さらに、センサ付カメラにマイクを搭載した場合は、屋内の様子を聴取することができ、また、モニタ付親機に音声メッセージＲＯＭを搭載した場合は、緊急度の高いセキュリティ情報を音声で通知することができる。
【図面の簡単な説明】
【図１】本発明のテレビドアホン装置のシステム構成図
【図２】本発明のテレビドアホン装置におけるモニタ付親機、センサ付カメラ及びサーバーのブロック図。
【図３】本発明のテレビドアホン装置における携帯電話端末機の表示画面。
【符号の説明】
１００…住居
２００…モニタ付親機
２０１…カメラ設置台数設定スイッチ
２０２…センサ付カメラ設置台数設定回路
２０３…ＯＮ／ＯＦＦ設定スイッチ
２０４…センサ制御ＯＮ／ＯＦＦ設定回路
２０５…異常検出回路
２０６…ＣＰＵ（親機ＣＰＵ）
２１５…音声メッセージＲＯＭ
２１６…音声回路
２１９…ＲＦ回路
２２０…ＬＡＮドライバ
２２１…送信タイマ設定回路
２２２…送信タイマ設定スイッチ
３００…無線送受信部（無線端末機）
４００ａ…第１のセンサ付カメラ
４００ｂ…第２のセンサ付カメラ
４０８…スピーカ
４０９…マイク
５００…モデム
６００…カメラ付玄関子機
７００…防犯センサ
８００…サーバー
８０１…屋内カメラデータベース
８０２…画像データベース
９００…携帯電話端末機
ＩＮ…インターネット網
ＴＮ…電話網
【図１】
2004120677.tif 000003
【図２】
2004120677.tif 000004
【図３】
2004120677.tif 000005